(57)【特許請求の範囲】
【請求項１】
内部に商品陳列室を有し、前面に開口を有するショーケース本体と、
前記ショーケース本体の舟底部の上方に配置され、前記商品陳列室内に位置する収容位置と前記商品陳列室外に引き出される引出位置とに前後方向スライド可能なデッキパンとを有し、
前記デッキパンは、中央部が開口された矩形枠状のデッキパンフレームと、このデッキパンフレームに前記デッキパンのスライド方向手前側に位置する支持部を支点として上下方向回動可能に取付けられた陳列板とを有し、
前記陳列板は、略水平向きとなって前記デッキパンフレームの開口部分を閉止するとともに商品が陳列可能となる閉止位置と、奥側端部が起立位置よりも手前側に位置するように前記支持部の回りに回動して前記デッキパンフレームの開口部分を開放する開放位置とに回動可能に設けられていることを特徴とするショーケース。
【請求項２】
前記支持部は、前記デッキパンフレームに設けられた切欠部と、前記陳列板に設けられて前記切欠部に回動可能に嵌合される爪部とを有することを特徴とする請求項１記載のショーケース。
【請求項３】
前記爪部は前記切欠部に対して離脱可能に嵌合されていることを特徴とする請求項２記載のショーケース。
【発明の詳細な説明】
【技術分野】
【０００１】
本発明は、ショーケース本体の舟底部の上方に配置されて前後方向にスライド可能なデッキパンを有するショーケースに関する。
【背景技術】
【０００２】
従来、ショーケース本体の舟底部の上方に前後方向にスライド可能なデッキパンを備えたショーケースが知られており、例えば、下記特許文献１に記載されている。
【０００３】
下記特許文献１に記載されたショーケースのデッキパンは、矩形枠状の陳列板支持アッセンブリと、この陳列板支持アッセンブリに着脱可能に取付けられた陳列板とを備えている。そして、舟底部の清掃や舟底部に設置された各種機器のメンテナンスは、陳列板を取外して行っている。
【先行技術文献】
【特許文献】
【０００４】
【特許文献１】特許２０００−４１８０１号公報
【発明の概要】
【発明が解決しようとする課題】
【０００５】
しかしながら、特許文献１に記載されたショーケースでは、清掃やメンテナンスのため陳列板を取外した場合、取外した陳列板をショーケースの近傍に置いたり、又は、ショーケースが設置されている店舗内のバックヤードに一時的に収容したりしなければならない。
取外した陳列板をショーケースの近傍に置いた場合には、ショーケースの近傍に置かれた陳列板が店舗内での他の作業、例えば、商品の搬送作業等の妨げとなる。また、営業時間内に清掃やメンテナンスを行う場合には、ショーケースの近傍に置かれた陳列板が店舗内を移動する顧客の障害となる。
一方、取外した陳列板をバックヤードに収容する場合には、ショーケースが設置されている場所とバックヤードとの間で陳列板を持ち運ぶことになり、煩雑で手間がかかっている。
【０００６】
本発明は、このような課題を解決するためになされたものであり、その目的は、デッキパンの下方に位置する舟底部の清掃や舟底部に設置された各種機器のメンテナンスを、容易に行うことができるショーケースを提供することである。
【課題を解決するための手段】
【０００７】
本発明に係るショーケースは、内部に商品陳列室を有し、前面に開口を有するショーケース本体と、前記ショーケース本体の舟底部の上方に配置され、前記商品陳列室内に位置する収容位置と前記商品陳列室外に引き出される引出位置とに前後方向スライド可能なデッキパンとを有し、前記デッキパンは、中央部が開口された矩形枠状のデッキパンフレームと、このデッキパンフレームに前記デッキパンのスライド方向手前側に位置する支持部を支点として上下方向回動可能に取付けられた陳列板とを有し、前記陳列板は、略水平向きとなって前記デッキパンフレームの開口部分を閉止するとともに商品が陳列可能となる閉止位置と、奥側端部が起立位置よりも手前側に位置するように前記支持部の回りに回動して前記デッキパンフレームの開口部分を開放する開放位置とに回動可能に設けられている。
【０００８】
また、前述のショーケースにおいて、前記支持部は、前記デッキパンフレームに設けられた切欠部と、前記陳列板に設けられて前記切欠部に回動可能に嵌合される爪部とを有することが望ましい。
【０００９】
また、前述のショーケースにおいて、前記爪部は前記切欠部に対して離脱可能に嵌合されていることが望ましい。
【発明の効果】
【００１０】
本発明に係るショーケースは、デッキパンを引出位置に引き出し、陳列板を開放位置に回動させることによりデッキパンフレームの開口部分が開放され、開放されたデッキパンフレームの開口部分から舟底部を視認できるようになるので、舟底部の清掃時や舟底部に設置された各種機器のメンテナンス時の視認性を向上させることができ、また、デッキパンフレームの開口部分から掃除用具を差し込むことができるので、陳列板を取外すことなく舟底部の清掃や舟底部に設置された各種機器のメンテナンスの作業性を向上させることができる。
【００１１】
また、支持部は、デッキパンフレームの手前側に設けられた切欠部と、陳列板の手前側に設けられて切欠部に回動可能に嵌合される爪部とを有するので、陳列板をデッキパンフレームに回動可能に取付ける構造を簡単な構造とすることができる。
【００１２】
また、爪部は切欠部に対して離脱可能に嵌合されているので、舟底部の大掛かりな清掃や舟底部に設置されている各種機器の大掛かりなメンテナンスを行う場合には必要に応じて陳列板をデッキパンフレームから取外すことができ、陳列板をデッキパンフレームから取外すことにより舟底部の清掃や舟底部に設置されている各種機器のメンテナンスの作業性をより一層向上させることかできる。
【図面の簡単な説明】
【００１３】
【図１】本発明の一実施形態のショーケースを示す断面側面図である。
【図２】デッキパンを引出位置に引き出した状態を示す断面側面図である。
【図３】陳列板を開放位置に回動させた状態を示す断面側面図である。
【発明を実施するための形態】
【００１４】
本発明の一実施形態について、図面に基づいて説明する。図１は、ショーケース１を示す断面側面図であり、このショーケース１は、ショーケース本体２とショーケース本体２の下側に配置された基台３とを有している。
【００１５】
ショーケース本体２は、断面形状コの字型の断熱材からなる外周壁４を有し、ショーケース本体２の内部に商品陳列室５が設けられ、ショーケース本体２の前面に開口６が設けられている。商品陳列室５内における外周壁４に対向する部分にはダクト形成板７が設けられ、このダクト形成板７と外周壁４との間にダクト８が形成されている。また、商品陳列室５内には上下方向に沿って複数段の商品陳列棚９が設けられ、これらの商品陳列棚９はダクト形成板７に取付けられている。
【００１６】
ダクト８内には、冷気を生成する冷凍装置の一部である冷却器１０と、生成された冷気を送風する送風ファン１１とが設けられている。ダクト８の上部手前側には、ダクト８内を送風された冷気が下向きに吹き出す吹出口１２が設けられ、ダクトの下部手前側には、吹出口１２から吹き出した冷気が吸い込まれる吸込口１３が設けられている。
【００１７】
ショーケース本体２の背面側には、基台３内に連通して基台３内の熱を排熱する排熱ダクト１４が設けられている。
【００１８】
ショーケース本体２の下部には舟底部１５が設けられており、この舟底部１５の上方に位置してデッキパン１６が配置されている。舟底部１５には、冷却器１０を除霜した場合に発生するドレンが流れるドレンパイプ１７が接続されている。また、舟底部１５には、送風ファン１１、冷凍装置を構成する減圧装置（図示せず）等の各種機器が設置されている。
【００１９】
デッキパン１６は、ガイドレール１８により前後方向スライド可能に支持されており、図１に示すように商品陳列室５内に位置する収容位置と、図２に示すように商品陳列室５外に引き出された引出位置とにスライドできるようになっている。
【００２０】
デッキパン１６は、中央部が開口された矩形枠状のデッキパンフレーム１９と、このデッキパンフレーム１９に取付けられた陳列板２０とを有している。陳列板２０は、デッキパンフレーム１９に対し、デッキパン１６のスライド方向手前側に位置する支持部２１を支点として上下方向回動可能に取付けられている。
【００２１】
支持部２１は、デッキパンフレーム１９に設けられてデッキパン１６のスライド方向と直交する方向に位置する左右一対の切欠部２２と、陳列板２０に設けられて切欠部２２に回動可能に嵌合される左右一対の爪部２３とを有している。そして、陳列板２０は、図２に示すように、略水平向きとなってデッキパンフレーム１９の開口部分を閉止するとともに陳列板２０の上面部分に商品が陳列可能となる閉止位置と、爪部２３を切欠部２２に嵌合させた状態を維持しつつ陳列板２０を支持部２１を支点として回動させることにより、図３に示すように、陳列板２０の奥側端部が起立位置よりも手前側に位置してデッキパンフレーム１９の開口部分を開放する開放位置とに回動可能に設けられている。デッキパンフレーム１９には、陳列板２０を図３に示す開放位置に回動させた場合、その開放位置で陳列板２０を支持するストッパ（図示せず）が設けられている。
【００２２】
さらに、爪部２３は切欠部２２に対して離脱可能に嵌合されており、図３に示すように陳列板２０を開放位置に回動させた状態から爪部２３と切欠部２２との嵌合が離脱する方向にスライドさせることにより、陳列板２０をデッキパンフレーム１９から取外すことができる。
【００２３】
基台３内には、冷凍装置を構成する圧縮機（図示せず）や凝縮器（図示せず）、ドレンを収容するドレン蒸発皿２４、ドレン蒸発皿２４内のドレンを吸い上げるドレン蒸発シート２５、ドレン蒸発シート２５に向けて送風するファン２６等が設置されている。
【００２４】
このような構成において、ショーケース１において商品の販売が行われている場合には、デッキパン１６は図１に示す収容位置に位置し、陳列板２０は閉止位置に回動され、閉止位置に回動した陳列板２０の上面部分に販売する商品が陳列されている。
【００２５】
このショーケース１において、舟底部１５の清掃や舟底部１５に載置されている各種機器のメンテナンスを行う場合には、まず、図１に示す収容位置に位置しているデッキパン１６を図２に示す引出位置にスライドさせる。
【００２６】
ついで、図３に示すように、陳列板２０を支持部２１を支点として開放位置に回動させる。開放位置に回動された陳列板２０は、陳列板２０の奥側端部が起立位置よりも手前側に位置するとともに、ストッパにより支持されるため、開放位置に回動した状態で安定して維持される。
【００２７】
また、支持部２１は、デッキパンフレーム１９の手前側に設けられた切欠部２２と、陳列板２０の手前側に設けられた爪部２３とを嵌合させた構造なので、簡単で安価な構造となっている。
【００２８】
陳列板２０を開放位置に回動させることにより、デッキパンフレーム１９の開口部分が開放され、開放されたデッキパンフレーム１９の開口部分から舟底部１５を視認できるようになり、舟底部１５の視認性が向上する。また、デッキパンフレーム１９の開口部分から掃除用具を差し込むことができるようになる。このため、舟底部１５の清掃や舟底部１５に設置された各種機器のメンテナンスを行う場合の作業性が向上し、陳列板２０を取外すことなく舟底部１５の清掃や舟底部１５に設置された各種機器のメンテナンスを容易に行うことができるようになる。
【００２９】
また、爪部２３は切欠部２２に対して離脱可能に嵌合されているので、舟底部１５の大掛かりな清掃や舟底部１５に設置されている各種機器の大掛かりなメンテナンスを行う場合には、図３に示すように開放位置に回動させた陳列板２０を、爪部２３が切欠部２２から外れる方向へ移動させることにより、陳列板２０をデッキパンフレーム１９から取外すことができる。そして、陳列板２０をデッキパンフレーム１９から取外すことにより、舟底部１５の清掃や舟底部１５に設置されている各種機器のメンテナンスの作業性をより一層向上させることかできる。
【符号の説明】
【００３０】
１    ショーケース
２    ショーケース本体
３    基台
４    外周壁
５    商品陳列室
６    開口
７    ダクト形成板
８    ダクト
９    商品陳列棚
１０    冷却器
１１    送風ファン
１２    吹出口
１３    吸込口
１４    排熱ダクト
１５    舟底部
１６    デッキパン
１７    ドレンパイプ
１８    ガイドレール
１９    デッキパンフレーム
２０    陳列板
２１    支持部
２２    切欠部
２３    爪部
２４    ドレン蒸発皿
２５    ドレン蒸発シート
２６    ファン
【図１】
0006296564.tif 000002
【図２】
0006296564.tif 000003
【図３】
0006296564.tif 000004